(57)【特許請求の範囲】
【請求項１】
互いに対向している建物本体の面と、この建物本体に取付具で取り付けられた建物付設物の面との間の隙間に、板状であって、少なくとも一部に軟質部を有する目隠し部材が配置され、この目隠し部材は、前記建物本体の面に対して傾斜角度をなす傾斜部を有し、この傾斜部の先部であって前記目隠し部材における前記軟質部となっている建物本体側の端部は、前記建物本体の面に突出物となって接続されている前記取付具の外形に沿って倣い変形しているとともに、前記傾斜部と前記端部とがなす角度が鈍角になっていることを特徴とする建物の隙間の目隠し構造。
【請求項２】
互いに対向している建物本体の面と、この建物本体に取付具で取り付けられた建物付設物の面との間の隙間に、板状であって、少なくとも一部に軟質部を有する目隠し部材が配置され、この目隠し部材は、前記建物付設物の面に面接触している面接触部と、この面接触部の端部から前記建物本体の面の側へこの建物本体の面に対して直角に延び、かつ前記取付具に当接している直角延出部と、この直角延出部の端部から前記建物本体の面に対して傾斜角度で前記建物本体の面の側へ延びる傾斜部とを有し、この傾斜部の先部であって前記目隠し部材における前記軟質部となっている建物本体側の端部は、前記建物本体の面に突出物となって接続されている前記取付具の外形に沿って倣い変形していることを特徴とする建物の隙間の目隠し構造。
【請求項３】
互いに対向している建物本体の面と、この建物本体に取付具で取り付けられた建物付設物の面との間の隙間に配置される板状の目隠し部材であって、
前記建物付設物の面に面接触する面接触部と、この面接触部の端部から前記建物本体の面の側へこの建物本体の面に対して直角に延び、かつ前記取付具に当接する直角延出部と、この直角延出部の端部から前記建物本体の面に対して傾斜角度で前記建物本体の面の側へ延びる傾斜部とを有し、
前記面接触部と、前記直角延出部のうちの前記傾斜部近くまでの領域は硬質部になっているとともに、これ以外の部分は軟質部になっており、かつ前記面接触の部分は予め他の部分に対して屈曲しており、
前記傾斜部の先部となっていて前記軟質部になっている建物本体側の端部は、前記建物本体の面に突出物となって接続されている前記取付具の外形に沿って倣い変形可能となっていることを特徴とする目隠し部材。
【発明の詳細な説明】
【０００１】
【発明の属する技術分野】
本発明は、住宅等の建物にできる隙間を目隠しするための構造、およびその目隠し構造に使用する目隠し部材に係り、例えば、集合住宅の外壁と、ベランダを各戸ごとに区切るための間仕切りパネルとの間の隙間を目隠しするために利用できるものである。
【０００２】
【背景技術】
集合住宅には各戸の並設方向に連続して延びるベランダが設けられ、このベランダを各戸ごとの専用区域に仕切るために間仕切りパネルがベランダ内に立設され、それぞれの間仕切りパネルは集合住宅の外壁やベランダの腰壁に取付具で取り付けられている。このような間仕切りパネルを集合住宅のベランダに設けた場合には、例えば、集合住宅の外壁と間仕切りパネルとの間に、間仕切りパネルを外壁に取り付けるための取付具の長さに応じた隙間ができることになる。
【０００３】
従来、この隙間を目隠しするため、硬質プラスチック等の硬質材料からなる目隠し部材を予め用意し、この目隠し部材を隙間に嵌め込み、隙間を塞ぐことが行われていた。
【０００４】
【発明が解決しようとする課題】
この従来技術によると、間仕切りパネルを集合住宅の外壁に取り付けるための取付具に長さが異なる複数種類あり、このため、外壁と間仕切りパネルとの間に大きさが異なる複数の隙間ができる場合には、幅寸法が異なる複数種類の目隠し部材を予め用意しておかなければならず、このため、生産しなければならない部品種類が多数になるという問題があった。
【０００５】
また、間仕切りパネルを外壁に取り付けるための取付具が外壁に突出物となって接続されている場合には、硬質材料からなる目隠し部材にこの突出物を避けるための凹部を形成しておかなければならず、これによると、目隠し部材の形状が複雑となり、目隠し部材の生産のために多くの手間がかかるという問題も生ずる。
【０００６】
本発明の目的は、同じ目隠し部材が大きさの異なる複数の隙間に対して汎用性を有するようになり、また、突出物があっても、目隠し部材にこの突出物を避けるための凹部を形成する必要がなく、目隠し部材の生産の容易化等を図ることができるようになる建物の隙間の目隠し構造、およびその目隠し部材を提供するところにある。
【０００７】
【課題を解決するための手段】
本発明に係る建物の隙間の目隠し部材は、建物を構成しかつ互いに対向している第１構成面と第２構成面との間の隙間に、少なくとも一部に軟質部を有する目隠し部材が配置されていることを特徴とするものである。
【０００８】
本発明によると、目隠し部材は少なくとも一部に軟質部を有するため、この目隠し部材の自然幅寸法を各種ある隙間のうちの最大の大きさと同じかこれよりも大きくしておくことにより、軟質部での目隠し部材の折り曲げ変形、圧縮変形等によって目隠し部材を大きさが異なるそれぞれの隙間を塞ぐために使用可能となり、目隠し部材は汎用性を有するようになる。
【０００９】
本発明において、目隠し部材は、第１構成面と第２構成面のうちのいずれか一方または両方に接着剤、両面粘着テープ、ビス等で固定してもよく、あるいは、折り曲げ変形、圧縮変形等によって第１構成面と第２構成面に確実に密着する充分に大きな反発弾性力が発生する場合には、目隠し部材を折り曲げ変形等させた状態で隙間に単に押し込んだだけとしてもよい。
【００１０】
また、目隠し部材の形状は板状でもよく、ブロック状でもよく、さらには、例えば、薄肉部と厚肉部を有する不均一厚さの異形のものとしてもよい。
【００１１】
また、本発明において、第１構成面と第２構成面は建物の任意な面でよいが、第１構成面が集合住宅の外壁のように建物本体の面であって、第２構成面がベランダの間仕切りパネルのような建物付設物の建物本体と対向する面となっており、この建物付設物が取付具で建物本体に取り付けられ、この取付具が建物本体の面に突出物となって接続されている場合には、目隠し部材を板状とするとともに、軟質部とした目隠し部材の建物本体側の端部を取付具の外形に沿って倣い変形させるようにすることもできる。
【００１２】
このようにすると、建物本体の面に建物付設物の取り付けのための取付具が突出物となって接続されていて、この突出物と干渉する位置に目隠し部材が配置されることになっても、目隠し部材における軟質部の形状容易変形性の特性を有効に利用し、突出物の外形に沿って目隠し部材の建物本体側の端部を倣い変形させることにより、目隠し部材に突出物を避けるための凹部等を形成する必要がなくなり、目隠し部材の形状を単純化できるため、目隠し部材の生産を容易化できるようになる。
【００１３】
このように目隠し部材の建物本体側の端部を突出物となっている取付具の外形に沿って倣い変形させる場合には、この端部が先部となっている目隠し部材の他の部分を前記建物本体の面に対して直角としてもよいが、目隠し部材を建物本体の面に対して傾斜角度をなす傾斜部を有するものとし、この傾斜部の先部を取付具の外形に沿って倣い変形した前記端部とするとともに、傾斜部とこの端部とがなす角度を鈍角とすることがより好ましい。
【００１４】
後者のようにすると、建物本体の面と建物付設物の面との間の隙間に目隠し部材を押し込んで配置すると、前記鈍角のため、目隠し部における建物本体側の端部は取付具の外形に沿って確実に倣い変形するようになり、また、隙間への目隠し部材の配置を押し込み作業で行えるため、目隠し部材の配置作業の容易化も達成できるようになる。
【００１５】
本発明に係る目隠し部材は、建物を構成しかつ互いに対向している第１構成面と第２構成面との間の隙間に配置される板状の目隠し部材であって、この隙間よりも大きい自然幅寸法を有しているとともに、少なくとも一部に軟質部を有していることを特徴とするものである。
【００１６】
本発明の目隠し部材は板状であって少なくとも一部に軟質部を有し、かつその自然幅寸法は第１構成面と第２構成面との間の隙間よりも大きいため、軟質部での折り曲げによって大きさが異なる種々の隙間の目隠しとして使用できることになる。
【００１７】
また、この目隠し部材において、第１構成面と第２構成面のうちの少なくとも一方と接触する端部が軟質部になっていると、この端部が接触する構成面に前記取付具等の突出物があっても、軟質部の形状容易変形性の特性によって端部を突出物に沿って倣い変形させることができ、目隠し部材に突出物を避けるための凹部等を形成する必要がなくなる。
【００１８】
また、この目隠し部材は第１構成面側の端部と第２構成面側の端部との両方が構成面と線接触するものになっていてもよく、また、第１構成面と第２構成面とのうちの少なくとも一方と面接触する面接触部を有するものとなっていてもよい。
【００１９】
目隠し部材を後者とした場合には、面接触部は隙間の幅方向またはほぼ幅方向に延びる目隠し部材の他の部分に対して直角またほぼ直角となった大きな角度で屈曲させなければならないが、この屈曲を作業者の手等の力で板状の目隠し部材を折り曲げることにより行ってもよいが、目隠し部材に溝を形成しておき、この溝により目隠し部材を屈曲させるようにしてもよい。
【００２０】
目隠し部材に溝を形成しておき、この溝で目隠し部材を屈曲させるようにした場合には、屈曲を簡単かつ確実に行えるようになるとともに、屈曲後の目隠し部材の外観を良好とすることができる。
【００２１】
また、このように目隠し部材に溝を形成する場合には、この溝を目隠し部材の幅方向に離して複数形成してもよい。
【００２２】
このように溝を複数とすると、建物の第１構成面と第２構成面との間の大きさが異なる隙間に対して目隠し部材を屈曲させる溝を選択できるようになり、隙間の大きさに合わせて面接触部の大きさを任意に変更できるようになる。
【００２３】
また、目隠し部材を第１構成面と第２構成面とのうちの少なくとも一方と面接触する面接触部を有するものとし、この面接触部が隙間の幅方向またはほぼ幅方向に延びる他の部分に対して屈曲している場合には、少なくとも面接触部を硬質材料で形成してもよい。
【００２４】
このようにすると、目隠し部材に面接触部を設けるために目隠し部材を屈曲させることや目隠し部材に溝を形成することは不要になる。
【００２５】
この場合において、例えば、面接触部だけを硬質材料で形成してもよく、面接触部と、この面接触部に続く前記他の部分の途中までとを硬質材料で形成してもよい。
【００２６】
目隠し部材の軟質部の材料は、例えば、軟質のプラスチックでもよく、ゴムでもよい。軟質プラスチックの一例は、軟質塩化ビニル、エラストマーである。
【００２７】
目隠し部材は全体を軟質部としてもよいが、上述のように硬質材料で形成された部分と軟質材料で形成された部分との組み合わせ構造とすることもできる。この組み合わせ構造としたときにおける硬質材料は、例えば、硬質のプラスチック、金属、木、セラミックである。硬質プラスチックとしては、例えば、ＡＢＳ樹脂、ポリプロピレン、ポリエチレン、硬質塩化ビニルを使用できる。
【００２８】
また、目隠し部材が線接触や面接触等で接触する建物の第１構成面と第２構成面のうちの少なくとも一方に凹部や溝等を形成し、この凹部等に目隠し部材の接触端部を嵌め込むことにより、構成面への目隠し部材の接触安定性を良好とするようにしてもよい。
【００２９】
本発明に係る目隠し構造および目隠し部材を適用できる一例は、集合住宅の外壁とベランダの間仕切りパネルとの間にできる隙間であり、他の例は、建物の内壁とトイレブース用間仕切りパネルとの間にできる隙間である。これ以外に本発明に係る目隠し構造および目隠し部材は、室内の間仕切りパネル同士の隙間、手摺りの支柱間に配置される手摺り用パネル間の隙間、その他、車庫等の建物付属物の構成面材間の隙間等にも適用できる。
【００３０】
【発明の実施の形態】
以下に本発明の一実施形態を図面に基づいて説明する。図１は、本実施形態にかかる目隠し構造および目隠し部材が隙間に嵌め込まれる前の集合住宅の一部破断の全体斜視図で、図２は、図１で示されているベランダ用間仕切りパネルの部分におけるベランダの側断面図である。
【００３１】
図１に示す通り、集合住宅１は外階段２で登り降りする２階を備えた２階建てであり、それぞれの階にはベランダ３が設けられ、これらのベランダ３は各階の外壁４から突設されているとともに、それぞれのベランダ３はそれぞれの階における各戸の並設方向に延びている。外壁４とベランダ３の腰壁３Ａとの間には、、集合住宅の付設物であって、ベランダ３を各戸ごとの専用区域に区画するための間仕切りパネル５が配置され、これらの間仕切りパネル５は集合住宅１の住宅本体である外壁４とベランダ３の腰壁３Ａに取り付けられている。
【００３２】
図２に示されているように、間仕切りパネル５は、上下方向に延びる左右２本の縦材６と、左右方向に延びる上下および中間の３本の横材７と、これらの縦材６と横材７で囲まれる空間を遮断し、この部分を塞いでいる珪酸カルシウム製またはプラスチック製または木製または金属製の板材８を含んで構成されている。
【００３３】
図２のIII−III線断面図である図３に示す通り、それぞれの縦材６の裏側にも板材８を挟んで縦材９が設けられ、一方の縦材６から他方の縦材９にねじ込まれたビス１０により、板材８は縦材６，９に結合されている。
【００３４】
それぞれの縦材９には縦溝１１が形成されており、これらの縦溝１１にボルト１２の頭部が嵌入されている。左右２本ある縦材９のうちのベランダ３の腰壁３Ａ側の縦材９には、長辺部１３Ａと、この長辺部１３Ａに対して直角となった短辺部１３Ｂとからなる平面Ｌ字状のベランダ側取付具１３の長辺部１３Ａが当てがわれ、この長辺部１３Ａに形成された孔１４にボルト１２が挿入され、その先部にナット１５が螺合されている。短辺部１３Ｂは腰壁３Ａに当てがわれ、この短辺部１３Ｂはビス１６で腰壁３Ａに接続されている。
【００３５】
また、左右２本の縦材９のうちの集合住宅１の外壁４側の縦材９にも、長辺部１７Ａと、この長辺部１７Ａに対して直角となった短辺部１７Ｂとからなる平面Ｌ字状の外壁側取付具１７の長辺部１７Ａが当てがわれ、この長辺部１７Ａに形成された孔１８にボルト１２が挿入され、その先部にナット１９が螺合されている。短辺部１７Ｂは外壁４に当てがわれ、この短辺部１７Ｂはビス２０で外壁４に接続されている。
【００３６】
これにより、間仕切りパネル５は、ベランダ側取付具１３でベランダ３の腰壁３Ａと、外壁側取付具１７で集合住宅１の外壁４とに取り付けられている。本実施形態では、図２に示されているように、ベランダ側取付具１３は２個あり、外壁側取付具１７は３個ある。図３に示す通り、本実施形態における建物の第１構成面である外壁４と、第２構成面である間仕切りパネル５の外壁側側面５Ａとは、隙間Ｓを開けて平行に対向し、この隙間Ｓの大きさは外壁側取付具１７の長辺部１７Ａの長さに応じたＬ１となっている。また、外壁４にビス２０で接続されている外壁側取付具１７の短辺部１７Ｂは、外壁４の突出物となっている。
【００３７】
図４は、隙間Ｓを板状の目隠し部材２１で塞いだときを示す図２と同様の図で、図５は、図４のV−V線断面図である。図５に示されている通り、目隠し部材２１は、間仕切りパネル５の外壁側側面５Ａに面接触している面接触部２１Ａと、この面接触部２１Ａの端部から外壁４側へ外壁４に対して直角に延びる直角延設部２１Ｂと、この直角延設部２１Ｂの端部から外壁４に対して傾斜角度αで外壁４側へ延びる傾斜部２１Ｃとからなる。この傾斜角度αの大きさは、直角延設部２１Ｂにおける隙間Ｓの幅方向の長さが一定であれば、前記Ｌ１の大きさに応じたものとなる。
【００３８】
図４に示されているように、目隠し部材２１は間仕切りパネル５とほぼ同じ上下寸法を有し、この目隠し部材２１の上下寸法内に３個の外壁側取付具１７が配置されている。このため、目隠し部材２１の傾斜部２１Ｃには、図５に示す通り、端部２１Ｄが外壁側取付具１７の短辺部１７Ｂと干渉している部分があり、この端部２１Ｄは短辺部１７Ｂの外形に沿って倣い変形している。そして、傾斜部２１Ｃと端部２１Ｄとがなす角度βは、鈍角である。
【００３９】
図６は、以上の目隠し部材２１の面接触部２１Ａ、直角延設部２１Ｂ、傾斜部２１Ｃ、端部２１Ｄを外壁側取付具１７との関係で示した斜視図である。端部２１Ｄを除く傾斜部２１Ｃの端部２１Ｅは、外壁４に接触している。
【００４０】
目隠し部材２１は、全体が軟質塩化ビニル等の軟質材料で形成されており、図７の実線で示されているように、隙間Ｓに配置される前は、隙間Ｓの幅方向に直線状に延びる板状となっている。そして、隙間Ｓに配置される前の目隠し部材２１の自然幅寸法Ｌ２は、隙間Ｓの前記大きさＬ１よりも大きい。
【００４１】
目隠し部材２１を隙間Ｓに配置するときには、目隠し部材２１の間仕切りパネル５側の一定長さを直角に屈曲させることにより、面接触部２１Ａと直角延設部２１Ｂとを形成するとともに、直角延設部２１Ｂから外壁４側の部分を面接触部２１Ａ側に多少折り曲げ、この状態のまま目隠し部材２１を隙間Ｓに押し込んでいく。これにより、面接触部２１Ａは間仕切りパネル５の外壁側側面５Ａに面接触するとともに、傾斜部２１Ｃの端部２１Ｅは外壁４に接触するため、傾斜部２１Ｃは直角延設部２１Ｂとなす角度が小さくなるように、言い換えると、傾斜部２１Ｃは外壁４となす角度が前記αになるまで直角延設部２１Ｂに対して屈曲する。
【００４２】
このまま目隠し部材２１をさらに押し込み、直角延設部２１Ｂの背面を外壁側取付具１７の長辺部１７Ａに当接させると、外壁側取付具１７の短辺部１７Ｂの箇所と対応している傾斜部２１Ｃの端部２１Ｄは、この端部２１Ｄの軟質性のために短辺部１７Ｂの外形に倣って自ずと変形し、短辺部１７Ｂに被さることになる。この状態が図５、図６、および図７の二点鎖線で示されている。
【００４３】
これにより外壁４と間仕切りパネル５との間の隙間Ｓは目隠し部材２１で目隠しされることになり、外壁４と間仕切りパネル５とに目隠し部材２１を確実に接合させることが求められる場合には、目隠し部材２１を隙間Ｓに配置する作業を行う前に、面接触部２１Ａの裏面や端部２１Ｄ，２１Ｅに接着剤を塗布しておく。
【００４４】
また、以上において、直角延設部２１Ｂに対して直角に屈曲した面接触部２１Ａを確実に得られるようにするため、図７に示すように、面接触部２１Ａと直角延設部２１Ｂとの境界部に目隠し部材２１の長さ方向に延びる溝２２を予め形成しておいてもよい。また、隙間Ｓに配置される前の目隠し部材２１を図７の実線で示すように隙間Ｓの幅方向への直線状とするのではなく、初めから面接触部２１Ａと直角延設部２１Ｂとの間、直角延設部２１Ｂと傾斜部２１Ｃとの間にある程度の屈曲角度を設けた板状としておいてもよい。
【００４５】
このような目隠し部材２１は、軟質樹脂を原料とする押し出し成形、引き抜き成形、プレス成形等で生産できる。
【００４６】
以上の本実施形態によると、外壁側取付具１７に長辺部１７Ａの長さが異なる複数種類あり、このため、外壁４と間仕切りパネル５との間の隙間Ｓの大きさＬ１が異なっている複数種類の集合住宅があった場合に、目隠し部材２１の直角延設部２１Ｂ、傾斜部２１Ｃは軟質部になっていてこれらの間の角度は変更可能であるため、端部２１Ｅが外壁４に接触する傾斜部２１Ｃは、Ｌ１が大きい集合住宅では前記αが大きくなり、Ｌ１が小さい集合住宅ではαは小さくなる。すなわち、目隠し部材２１は軟質部の折れ曲がりによって大きさが異なる各種の隙間Ｓについて使用でき、汎用性を発揮する。
【００４７】
また、外壁４に突出物としての外壁側取付具１７の短辺部１７Ｂが存在していても、目隠し部材２１の外壁４側の端部２１Ｄは軟質部であるため、目隠し部材２１を隙間Ｓに押し込み配置するときに、この端部２１Ｄは短辺部１７Ｂの外形に沿って倣い変形することになり、したがって、目隠し部材２１における短辺部１７Ｂと干渉する箇所に凹部等を形成しておく必要がなく、目隠し部材２１の形状を単純化させることができるため、その生産作業を容易化することができる。
【００４８】
さらに、本実施形態によると、傾斜部２１Ｃと端部２１Ｄとがなす角度βは鈍角であるため、隙間Ｓに目隠し部材２１を押し込んで配置すると、傾斜部２１Ｃの先部に、外壁側取付具１７の短辺部１７Ｂに確実に乗り上げながら短辺部１７Ｂの外形に倣って変形した端部２１Ｄを確実に生じさせることができ、隙間Ｓへの目隠し部材２１の配置作業の簡単化を図りつつ、このような効果をも達成できる。
【００４９】
図８は、別実施形態に係る目隠し部材３１を示す。この目隠し部材３１は、軟質部３１Ａと硬質部３１Ｂとの組み合わせで形成されている。硬質部３１Ｂは、前記実施形態の目隠し部材２１における面接触部２１Ａと、直角延設部２１Ｂのうちの傾斜部２１Ｃ近くまでの領域とを形成するものとなっており、軟質部３１Ａはこれ以外の部分を形成するものとなっている。
【００５０】
この実施形態に係る目隠し部材３１によると、前記実施形態の目隠し部材２１における直角延設部２１Ｂと傾斜部２１Ｃとの境界部、傾斜部２１Ｃ、端部２１Ｄ，２１Ｅのそれぞれに相当する部分は軟質部３１Ａとなっているため、前記実施形態と同じ作用効果を得られるとともに、間仕切りパネル５の外壁側側面５Ａに面接触する面接触部は、予め他の部分に対して屈曲しているため、作業者はこの屈曲のための作業を行う必要がなく、また、面接触部は硬質材料で成形されているため、間仕切りパネル５の外壁側側面５Ａとの面接触を大きな強度による安定した接触性で行わせることができる。
【００５１】
以上のように目隠し部材３１を軟質部３１Ａと硬質部３１Ｂとの組み合わせとし、軟質部３１Ａの材料を軟質プラスチック、硬質部３１Ｂの材料を硬質プラスチックとした場合には、これらの軟質部３１Ａの部分と硬質部３１Ｂの部分とを別成形し、これらを後加工で接合するようにしてもよいが、軟質プラスチック材料と硬質プラスチック材料とを同じ押し出し成形機に供給し、軟質部３１Ａと硬質部３１Ｂとを接合しながらこれらを同時に押し出し成形するようにしてもよい。
【００５２】
【発明の効果】
本発明によると、目隠し部材は少なくとも一部に軟質部を有しているため、大きさの異なる複数の隙間に対して汎用性を有するようになり、また、突出物があっても、目隠し部材にこの突出物を避けるための凹部を形成する必要がなくなり、目隠し部材の生産の容易化等を達成することができるようになる。
【図面の簡単な説明】
【図１】本発明の一実施形態に係る目隠し構造および目隠し部材が使用される集合住宅の一部破断の斜視図である。
【図２】目隠し部材が隙間に配置される前のベランダ用間仕切りパネルの部分の側断面図である。
【図３】図２のIII−III線断面図である。
【図４】隙間に目隠し部材が配置された後を示す図２と同様の図である。
【図５】図４のV−V線断面図である。
【図６】図５の目隠し部材を実線で示し、他を二点鎖線で示した斜視図である。
【図７】隙間に配置される前を実線で、配置後を二点鎖線で示した目隠し部材の斜視図である。
【図８】軟質部と硬質部の組み合わせからなる別実施形態に係る目隠し部材の隙間への配置前を示す斜視図である。
【符号の説明】
１  建物である集合住宅
３  ベランダ
４  第１構成面である外壁
５  建物付設物であるベランダ用間仕切りパネル
５Ａ  第２構成面であるベランダ用間仕切りパネルの外壁側側面
１３  ベランダ側取付具
１７  外壁側取付具
２１，３１  目隠し部材
２１Ａ  面接触部
２１Ｂ  直角延設部
２１Ｃ  傾斜部
２１Ｄ，２１Ｅ  端部
３１Ａ  軟質部
３１Ｂ  硬質部
Ｓ  隙間
Ｌ１  隙間の大きさ
Ｌ２  目隠し部材の自然幅寸法
【図１】
0003652507.tif 000002
【図２】
0003652507.tif 000003
【図３】
0003652507.tif 000004
【図４】
0003652507.tif 000005
【図５】
0003652507.tif 000006
【図６】
0003652507.tif 000007
【図７】
0003652507.tif 000008
【図８】
0003652507.tif 000009